(57)【要約】【課題】１つの製品筐体内に２つ以上の誘導加熱源を有する場合、各々の加熱源数分のインバーター回路を有しているため基板構成が複雑になり、構成部品の価格も高くなるという問題があった。【解決手段】  直流電流を高周波電流に変換するインバーター回路の出力端に並列に接続した、加熱コイルとスイッチとの直列回路を有する複数の負荷回路と、操作入力手段で設定された火力を出力すべくインバーター回路およびスイッチを制御する制御手段とを備え、制御手段は、操作入力手段からの設定入力により複数の加熱コイルに同時に通電を行う場合に、同時に通電される加熱コイルの内、設定された火力を出力するインバーター回路の駆動信号レベルが最大の駆動信号を出力するとともに、当該駆動信号により駆動されると設定された火力を超過する加熱コイルについては所定周期毎にスイッチによりインバーター回路の出力から切り離すように制御する。【選択図】  図４
2014194908.tif 000002
【特許請求の範囲】
【請求項１】
直流電流を高周波電流に変換するインバーター回路と、
前記インバーター回路の出力端に並列に接続した、スイッチと被加熱物を加熱する加熱コイルとの直列回路を有する少なくとも２以上の負荷回路と、
前記加熱コイルに出力する火力を設定する操作入力手段と、
前記操作入力手段で設定された火力を出力すべく前記インバーター回路および前記スイッチを制御する制御手段と、を備え、
前記制御手段は、前記操作入力手段からの設定入力により複数の前記加熱コイルに同時に通電を行う場合には、同時に通電される前記加熱コイルの内、設定された火力を出力する駆動信号レベルが最大の駆動信号を出力するとともに、当該駆動信号により駆動されると設定された火力を超過する前記加熱コイルについては所定周期毎に前記スイッチにより前記インバーター回路の出力から切り離すことを特徴とした加熱調理器。
【請求項２】
前記制御手段は、前記インバーター回路の駆動信号レベルを、該インバーター回路の出力電流制限値を超えないように制御することを特徴とした請求項１に記載の加熱調理器。
【請求項３】
前記制御手段は、前記インバーター回路の駆動信号レベルを、通電する前記負荷回路の出力電力制限値あるいは出力電流制限値を超えないように制御することを特徴とした請求項１または請求項２に記載の加熱調理器。
【請求項４】
前記負荷回路の電流を検知する電流検知手段を備え、
前記制御回路は前記電流検知手段が検知する負荷電流がゼロとなるタイミングで前記スイッチをオフすることを特徴とする請求項１乃至３のいずれか１項に記載の加熱調理器。
【請求項５】
前記インバーター回路を構成するスイッチング素子にワイドバンドギャップ半導体を使用したことを特徴とする請求項１乃至４の何れか１項に記載の加熱調理器。
【請求項６】
前記ワイドバンドギャップ半導体素子は、ＳｉＣ、ＧａＮまたはダイヤモンドからなることを特徴とする請求項５の加熱調理器。
【発明の詳細な説明】
【技術分野】
【０００１】
本発明は、複数の加熱コイルを有する加熱調理器に関するものである。
【背景技術】
【０００２】
従来の加熱調理器には、１つの製品筐体内に２つ以上の誘導加熱源を有する場合、各々の加熱源数分、加熱コイルへ高周波電流を供給するインバーター回路を有しているものがあった（例えば、特許文献１参照）。また、従来の加熱調理器には、一つのインバーター回路の接続を時分割で切り替えて、複数の加熱コイルに高周波電流を供給するものがあった。
【先行技術文献】
【特許文献】
【０００３】
【特許文献１】特開平８−２１３１６３号公報
【特許文献２】特開２００８−２８７９２３号公報（図１５）
【発明の概要】
【発明が解決しようとする課題】
【０００４】
特許文献１では、２つの加熱コイルを有しており、それぞれ専用に２つのインバーター回路を有している。そのため基板が大きく、複雑になり、価格も高くなるという問題があった。
特許文献２では、２つの加熱コイルに１つのインバーター回路の出力を時分割で切り替えて接続している。したがって、基板を小さくすることができ、価格も抑制することができるが、２つの加熱コイルを別個の加熱口に使用した場合、各加熱コイルが同時駆動される場合と比較して、出力可能な最大電力が小さくなる問題点があった。
【課題を解決するための手段】
【０００５】
本発明に係る加熱調理器は、直流電流を高周波電流に変換するインバーター回路と、インバーター回路の出力端に並列に接続した、スイッチと被加熱物を加熱する加熱コイルとの直列回路を有する少なくとも２以上の負荷回路と、加熱コイルに出力する火力を設定する操作入力手段と、操作入力手段で設定された火力を出力すべくインバーター回路およびスイッチを制御する制御手段と、を備え、制御手段は、操作入力手段からの設定入力により複数の加熱コイルに同時に通電を行う場合に、同時に通電される加熱コイルの内、設定された火力を出力するインバーター回路の駆動信号レベルが最大の駆動信号を出力するとともに、当該駆動信号により駆動されると設定された火力を超過する加熱コイルについては所定周期毎にスイッチによりインバーター回路の出力から切り離すように制御するようにしたものである。
【発明の効果】
【０００６】
本発明によれば、複数のインバーター回路が集約でき、省スペース化、低価格化を実現できるとともに、複数の加熱コイルに同時に通電する場合においても同一周波数で駆動するので、隣接する加熱口であっても誘導電流の周波数差による干渉音が生じず、また、時分割駆動と比較して全加熱口合計の出力可能な電力が大きい加熱調理器を得ることができる。
【図面の簡単な説明】
【０００７】
【図１】本発明の実施の形態に係る加熱調理器の外観斜視図である。
【図２】本発明の実施の形態に係る加熱調理器の上面図である。
【図３】本発明の実施の形態に係る加熱調理器のブロック構成図である。
【図４】本発明の実施の形態に係る加熱調理器のインバーター回路構成例である。
【図５】本発明の実施の形態に係る加熱調理器の基本フローチャートである。
【図６】本発明の実施の形態に係る加熱調理器のＩＨ加熱調理のフローチャートである。
【図７】本発明の実施の形態に係る加熱調理器のインバーター回路の駆動周波数と出力電力との関係の一例を示す図である。
【図８】本発明の実施の形態に係る加熱調理器のインバーター回路及びスイッチＳＷ７・ＳＷ８の駆動パターン例を示す図である。
【図９】本発明の実施の形態に係る加熱調理器のインバーター回路及びスイッチＳＷ７・ＳＷ８の別の駆動パターン例を示す図である。
【図１０】本発明の実施の形態に係る加熱調理器のインバーター回路及びスイッチＳＷ７・ＳＷ８の別の駆動パターン例を示す図である。
【図１１】炊飯器の加熱コイルの例を示す図である。
【図１２】ＩＨグリルの上下ヒーターの加熱コイルの例を示す図である。
【発明を実施するための形態】
【０００８】
実施の形態．
図１は本発明に係る加熱調理器１の外観を示す斜視図であり、図２は本発明に係る加熱調理器１の上面図である。図に示すように、誘導加熱部が左右に２つあり、正面右側にある操作パネル１３には、電源スイッチ１１と、左側にある左加熱口２Ｌ、右側にある右加熱口２Ｒの、それぞれの火力調整用のダイヤル１２Ｌ、１２Ｒとを有しており、使用者は、電源スイッチ１１を投入して調理状況にあわせて火力調整ダイヤル１２Ｌ、１２Ｒを操作して調理を行うようになっている。つまり、この火力調整ダイヤル１２Ｌ、１２Ｒによって左加熱口２Ｌと右加熱口２Ｒにおける誘導加熱時の火力調節が行える。なお、この加熱調理器１の定格消費電力（最大消費電力）は５８００Ｗである。
【０００９】
前記左加熱口２Ｌ、右加熱口２Ｒの上方は耐熱強化ガラス板で形成されたトッププレート１４で覆われ、このトッププレートの下方空間には、前記左右の加熱口２Ｌ、２Ｒの加熱源となる円環状の加熱コイルＬ１、Ｌ２が設置されている。前記トッププレート１４は、その周囲が額縁状の金属製フレーム１５で覆われて、このフレームによって本体ケース１Ａの上面部に固定されている。
【００１０】
加熱調理器１の上面前部には前記トッププレート１４の下面に近接して、各種の調理条件の設定値、警報や異常情報を表示する表示手段としての液晶表示基板を備えた等の中央表示パネル１６、同様に誘導加熱時の火力値や火力レベル（強、中、弱など）等を表示する液晶表示基板を備えた左表示パネル１７Ｌ及び右表示パネル１７Ｒ、左加熱口２Ｌの加熱時間や油調理時の油温度を液晶文字や複数の発光ダイオード（発光体）などで表示する左表示部１８Ｌ、同じく右加熱口２Ｌの加熱時間や油調理時の油温度を表示する右表示部１８Ｒ、並びに、加熱動作の開始等の操作をするための上面操作部１９が設置されている。
【００１１】
加熱調理器１の上面後部には、後述するグリル調理器３のグリル庫２２内に空気を取り込むための吸気口２０、及び、グリル庫２２内の調理物から発生する煙等を排出するための排気口２１が形成されている。吸気口２０は、加熱調理器１の内部空間に送風機（図示せず）で室内空気を取り込むものであるが、その取り込まれた空気の一部は、前記加熱コイルＬ１、Ｌ２の冷却用に使用され、冷却後の空気は前記排気口２１から室内へ放出される。また、図３で示されるように、加熱調理器１の内部空間には、加熱調理器１の動作全般を制御する制御回路３２が備えられている。
【００１２】
（グリル調理器３の構成）
次に、図１、図２を参照しながら、グリル調理器３の構成について説明する。
加熱調理器１の左下側内部にグリル調理器３が収容されている。このグリル調理器３は、少なくとも、加熱調理器１の前面部の左側に開閉可能に設置されたグリル扉２６、そのグリル扉２６で前面開口部が開閉自在に閉鎖された調理空間であるグリル庫２６、そのグリル庫２２の底部に載置された受け皿２３、その受け皿２３の上に置かれ、上側に魚等の被調理物２５を載置するグリル網２４によって構成されている。グリル扉２１には、そのグリル扉を開閉するためにユーザーが手を掛けるための取っ手２６Ａが設置されている。
【００１３】
また、グリル庫２２と排気口２１とを連通させ、吸気口２０から取り込まれた空気を調理物２５から発生する煙と共に、グリル庫２２から排気口２１を介して外部に排気するための排気ダクト（図示せず）が、グリル庫２２の後方に接続されている。
【００１４】
（上面操作部１９の構成）
次に、図２を参照しながら、上面操作部１９の構成について説明する。
図２において、上面操作部１９は加熱調理器１の上面の手前側に、横方向に長く帯状に配置されている。つまり前記トッププレート１４の前方端部よりも更に手前側で額縁状の金属性フレーム１５の前方辺に配置されている。
【００１５】
この上面操作部１９は、左側から、左加熱口２Ｌの加熱動作を操作するための左加熱口用操作部２７、グリル加熱動作を操作するためのグリル用操作部２９、及び、右加熱口２Ｒの加熱動作を操作するための右加熱口用操作部２８を備えている。
【００１６】
このうち、左加熱口用操作部２７は、揚げ物ボタン２７ａ、フライパン予熱２７ｂ及び入／切ボタン２７ｃによって構成されている。また、右加熱口用操作部２８は、揚げ物ボタン２８ａ、フライパン予熱２８ｂ及び入／切ボタン２８ｃによって構成されている。そして、グリル用操作部２９は、グリルメニューボタン２９ａ、スタート／停止ボタン２９ｂ、左矢印ボタン２９ｃ、右矢印ボタン２９ｄ、時間マイナスボタン２９ｅ及び時間プラスボタン２９ｆによって構成されている。
なお、図２で示される上面操作部１９を構成する各ボタンの種類及び配置は、一例を示すものであり、これに限定されるものではない。
【００１７】
（加熱調理器１の制御部）
図３において、１１は前面操作部１３内に位置する使用者によって開閉操作される電源スイッチ、３１はこの電源スイッチを介して電気エネルギーが供給される電源回路、３２はこの電源回路から所定の定圧電流が供給されるマイクロコンピューターを中心に構成される制御回路である。前記マイクロコンピューターは、入力部と、出力部と、記憶部と、ＣＰＵ（演算制御部）の４つの部分から構成され、その記憶部には、各種調理メニューに対応した通電制御プログラムが予め記憶（格納）されている。
【００１８】
３３は、前記の加熱コイルＬ１及びＬ２に高周波電流を供給するためのインバーター回路である。加熱コイルＬ１及びＬ２は共振コンデンサＣ１，Ｃ２等が接続された周知の共振回路の中に接続されている。
【００１９】
３４は前記グリル調理器３のグリル庫２２内部に複数個設置した輻射式電気ヒーター、例えばシーズヒーター３４Ｈを駆動する駆動回路である。前記シーズヒーターは例えばグリル庫２２の内部の天井付近と底面付近にそれぞれ水平に設置されており、前記グリル網２４を上方と下方から加熱できるように構成されている。
【００２０】
３５は表示部駆動回路であり、各種の調理条件の設定値等を表示する中央表示パネル１６や左表示部１８L、右表示部１８R、左右の加熱口２Ｌ・２Ｒの火力レベル等を表示する左表示パネル１７Ｌ、右表示パネル１７Ｒを駆動する。
【００２１】
３７は、前記グリル庫２２から排気口排気口２１に至る排気ダクト（図示せず）の入口部又はその途中に設置された触媒（図示せず）を加熱することによって、グリル庫２２から放出される煙の除去作用を促進するための触媒ヒーターであり、触媒ヒーター駆動回路３６により駆動されて触媒（図示せず）を加熱することで酸化還元作用を促進する。
【００２２】
３８は、電子的に作成した音声を合成する音声合成装置であり、使用者に対する操作の案内や、異常発生時の報知などをスピーカー３９から音声でその都度報知する。
【００２３】
４０は温度検出回路である。この温度検出回路４０は、前記加熱コイルＬ１、Ｌ２によって加熱されるトッププレート１４上の被加熱物Ｎの温度や、そのトッププレート１４の温度、グリル庫２２内部の雰囲気温度等を検知するための複数個の温度センサ（図示せず）から温度検知情報を受け取り、温度検出結果を制御回路３２に送る。前記温度センサ（図示せず）は赤外線センサのような非接触型、あるいはサーミスターのような接触型の何れであっても良く、それらを単独で、又は同時に組み合わせて使用している。
【００２４】
（加熱調理器１のインバーター回路の構成）
図４に加熱調理器１のインバーター回路３３の構成例を示す。（ａ）が従来の加熱調理器のインバーター回路の構成例であり、（ｂ）が本発明に係る加熱調理器のインバーター回路の構成例である。
２個の加熱口を備え、２個の加熱コイルを有する加熱調理器において、従来の加熱調理器は（ａ）に示すように、加熱コイルＬ１用にスイッチング素子ＳＷ１とＳＷ２を有するインバーター回路３３Ｌと、加熱コイルＬ２用にスイッチング素子ＳＷ３とＳＷ４を有するインバーター回路３３Ｒを使用するのに対し、本発明に係る加熱調理器は（ｂ）に示すように、インバーター回路３３Ｌと３３Ｒを共通のインバーター回路３３でまかなうことで、基板の省スペース化と低コスト化を実現することができる。
【００２５】
また、従来の加熱調理器１では、加熱コイルＬ１の使用時にはＳＷ１とＳＷ２を交互にスイッチングさせることで加熱コイルＬ１に高周波電流を供給し、加熱コイルＬ２の使用時にはＳＷ３とＳＷ４を交互にスイッチングさせることで加熱コイルＬ２と高周波電流を供給し、共振コンデンサＣ２との共振を、制御しているが、図４（ｂ）のような回路を使用することで、ＳＷ５とＳＷ６を交互にスイッチングさせることで加熱コイルＬ１と加熱コイルＬ２に高周波電流を供給することが可能であり、ＳＷ５およびＳＷ６の駆動周波数あるいは通電率を変えることで２加熱源の合計出力を変えることができる。また、ＳＷ７とＳＷ８のオンオフを切り替えることにより、使用する加熱コイルの接続切り替えが可能である。
【００２６】
（加熱調理器１の誘導加熱動作）
次に、本実施の形態に係る加熱調理器１の誘導加熱動作について説明する。
図５に示したフローチャートは、加熱調理器１の基本的な動作ステップを示すものである。図１〜図３において、電源スイッチ１１を使用者が操作して、電源を入れる（ステップＳＴ１）。すると制御回路３２に電源が印加され、制御回路３２は、温度検出回路４０から温度情報を得て、調理器の主要な部分が異常な高温度になっていないかどうかを自己チェックする（ステップＳＴ２）。
【００２７】
自己チェックの結果を判定し（ステップＳＴ３）、異常が発見された場合には異常の報知を行って(ステップＳＴ４)加熱を終了する。一方、異常が発見されない場合には、制御回路３２は表示部駆動回路３５を起動して中央表示パネル１６に調理を開始できることを表示するとともに、音声合成装置３８を制御して、中央表示パネル１６で表示した内容と同様の内容を音声で報知する（ステップＳＴ５）。
【００２８】
その後、中央表示パネル１６には、金属製鍋等の被加熱物Ｎを使用したい加熱口２Ｌ、２Ｒの上に置くように、使用者に動作を促す文字を表示し（ステップＳＴ６）、使用者が選択する加熱口を判定する(ステップＳＴ７)。ここで使用者が、左加熱口用操作部２７における入／切ボタン２７ｃを押すと、左側の第１の加熱口２Ｌを選択したことになり、右加熱口用操作部２８における入／切ボタン２８ｃを押すと、右側の第２の加熱口２Ｒを選択したことになる。その場合には、誘導加熱メニューの選択・加熱火力設定のステップに進む。このステップでは、例えば揚げ物ボタン２７ａを押せば揚げ物調理を選択したことになり、予熱ボタンを押せばフライパンなどの予熱調理を選択したことになる。また、使用者が本体ケース１Ａの前面操作部１３に設置された左右の加熱口の火力調整ダイヤル１２Ｌ、１２Ｒを回転操作させることによって火力設定を行う（ステップＳＴ８）。制御回路３２は、選択された誘導加熱メニューや設定火力に応じて、左右表示部パネル１７Ｌ・１７Ｒ、および左右表示部１８Ｌ・１８Ｒに表示を行い、ＩＨ加熱調理を実行する（ステップＳＴ９）。その詳細は、図６のフローチャートに示し、後述する。
【００２９】
一方、ステップＳＴ７で、使用者が中央部にある入／切ボタン２９ｂを押すと、電気輻射熱の加熱源を利用したグリル調理器３を選択したことになり、ロースター調理、グリル調理又はオーブン調理の何れかを選択するステップ（ステップＳＴ１０）に進む。その後、その選択入力に応じてロースター加熱調理（ステップＳＴ１１Ａ）、グリル加熱調理（ステップＳＴ１１Ｂ）、オーブン加熱調理（ステップＳＴ１１Ｃ）を行うとともに、中央表示パネル１６にその加熱状態を表示する。
【００３０】
加熱調理終了後、使用者は再び入／切ボタン２７ｃ、２８ｃを押下することによって、誘導加熱動作を終了させることができる。また、入／切ボタン２９ｂを押せばグリル調理器３の電気輻射熱による加熱動作を終了させることができる（ステップＳＴ１２）。
【００３１】
図６は、左右の加熱口２Ｌ、２ＲのＩＨ加熱調理の制御処理を示すフローチャートである。左加熱口２Ｌあるいは右加熱口２Ｒの新たな加熱開始が要求されると、他方の加熱口が加熱中である場合にはインバーター回路３３の駆動を停止し（ステップＳＴ９−１）、加熱開始が要求された加熱口を判別し（ステップＳＴ９−２）、左加熱口２ＬであればスイッチＳＷ７をオンして加熱コイルＬ１をインバーター回路３３の出力に接続する（ステップＳＴ９−３）。また、加熱開始が要求された加熱口が右加熱口２Ｒであった場合には、スイッチＳＷ８をオンして加熱コイルＬ２をインバーター回路３３の出力に接続する（ステップＳＴ９−４）。
【００３２】
ついで、インバーター回路３３を負荷判定用の駆動信号（低出力レベル）で駆動し、各加熱コイルに適正な鍋が載置されているか判定し、アルミ鍋等の誘導加熱に適さない鍋が載置されている場合には、対応する加熱コイルをスイッチＳＷ７またはＳＷ８をオフしてインバーター回路の出力から切り離す（ステップＳＴ９−５）。適正な鍋が載置されている加熱コイルがある場合には、操作部から設定された対応する加熱口２の設定火力となるように、インバーター回路３３の駆動周波数と負荷回路のスイッチＳＷ７、ＳＷ８のオンオフを制御して、加熱出力を調整する（ステップＳＴ９−６）。
【００３３】
図７は、加熱コイルＬ１と加熱コイルＬ２の上方に鍋をそれぞれ載置し、同時に加熱を行う場合のインバーター回路の駆動周波数と出力電力との関係の一例を示したものである。駆動周波数と各加熱コイルへの出力電力との関係は、載置した鍋の材質や大きさ、位置や温度などの条件により変化するが、以下の説明では、図７に示す関係を維持するものとする。
【００３４】
なお、図７の負荷条件では、インバーター回路３３のスイッチング素子ＳＷ５とＳＷ６に流すことが可能な電流の制限（インバーター回路の出力電流制限値）から、インバーター回路の駆動周波数の下限値を、加熱コイルＬ１と加熱コイルＬ２の両方をインバーター回路出力に接続した場合には２５ｋＨｚ、加熱コイルＬ１のみをインバーター回路出力に接続した場合には２４ｋＨｚ、加熱コイルＬ２のみをインバーター回路出力に接続した場合には２１．５ｋＨｚであるものとする。
【００３５】
（左加熱口：１．５ｋW、右加熱口：１．０ｋWの場合）
図７の負荷条件で、左加熱口２Ｌに１．５ｋW、右加熱口２Ｒに１．０ｋWを出力する場合のインバーター回路３３の駆動、および加熱コイル直列スイッチＳＷ７、ＳＷ８のオンオフ制御の駆動パターンの例を図８に示す。本実施の形態では、６秒周期で繰り返す制御としている。インバーター回路３３を２６ｋHzで駆動すると、図７に示すように、左加熱口２Ｌで２．０ｋW、右加熱口２Ｒで１．０ｋWを出力することができる。そこで、左加熱口２Ｌを１．５ｋW出力とするには、６秒間のうち４．５秒間は加熱出力（２．５ｋＷ）を行い、１．５秒間はスイッチをオフして加熱出力を停止する。
左加熱口の加熱出力：  ２．０ｋＷ×４．５／６＋０ｋＷ×１．５／６＝１．５ｋＷ
右加熱口の加熱出力：  １．０ｋＷ×６／６＝１．０ｋＷ
【００３６】
（左加熱口：２．５ｋW、右加熱口：１．０ｋWの場合）
同様の条件で、左加熱口２Ｌに２．５ｋW、右加熱口２Ｒに１．０ｋWを出力する場合のインバーター回路３３の駆動、および加熱コイル直列スイッチＳＷ７、ＳＷ８のオンオフ制御の例を図９に示す。インバーター回路３３を２５ｋHzで駆動すると、本実施の形態に係る加熱調理器では図７に示すように、左加熱口２Ｌで２．５ｋW、右加熱口２Ｒで１．２ｋWを出力することができる。そこで、インバーター回路３３を２５ｋHzで駆動するとともに、ＳＷ７はオン状態を継続し、ＳＷ８はオンオフを切り替える（６秒周期：オン５秒、オフ１秒）。
左加熱口の加熱出力：  ２．５ｋＷ×６／６＝２．５ｋＷ
右加熱口の加熱出力：  １．２ｋＷ×５／６＋０ｋＷ×１／６＝１．０ｋＷ
【００３７】
（左加熱口：１．５ｋW、右加熱口：１．５ｋWの場合）
同様の条件で、左加熱口２Ｌに１．５ｋW、右加熱口２Ｒに１．５ｋWを出力する場合のインバーター回路３３の駆動、および加熱コイル直列スイッチＳＷ７、ＳＷ８のオンオフ制御の例を図１０に示す。本実施の形態では、加熱コイルＬ１と加熱コイルＬ２の両方を接続した場合のインバーター回路３３の駆動周波数の下限値は２５ｋHzであり、左加熱口２Ｌで２．５ｋW、右加熱口２Ｒで１．２ｋWを出力することができる。そこで、６秒間周期の内、３．６秒はインバーター回路を２５ｋHzで駆動するとともにＳＷ７およびＳＷ８はオン状態とし、２．４秒間はＳＷ７をオフ、ＳＷ８をオンとするとともに、右加熱口２Ｒで１．９５ｋWの出力となる駆動周波数（２３ｋHz)で駆動する。
左加熱口の加熱出力：  ２．５ｋＷ×３．６／６＋０Ｗ×２．４／６＝１．５ｋＷ
右加熱口の加熱出力：  １．２ｋＷ×３．６／６＋１．９５ｋＷ×２．４／６＝１．５ｋＷ
【００３８】
なお、上記実施の形態では、インバーター回路の出力電流制限値によりインバーター回路の駆動周波数が制限される場合を説明したが、個々の負荷回路のスイッチング素子（ＳＷ７、ＳＷ８）等に流すことが可能な電流の制限値（負荷回路の出力電流制限値）や、個々の加熱口に出力可能な電力値の制限からインバーター回路の駆動周波数が制限される場合も同様である。
【００３９】
また、本実施の形態では、図７に示したように、インバーター回路３３の出力を調整するためにスイッチング素子ＳＷ５、ＳＷ６の駆動周波数を制御する例を示したが、スイッチング素子ＳＷ５、ＳＷ６の通電率を制御することとしてもよい。ＳＷ５とＳＷ６には、２加熱口分の大電流が流れるため、少なくとも一方をＳｉＣ、ＧａＮ、またはダイヤモンド等からなるワイドバンドギャップ半導体のスイッチング素子を用いる等、ＳＷ７やＳＷ８よりもスイッチング損失及び導通損失の総和が少ないものを使用すると、スイッチング素子における損失の抑制、ひいては加熱効率を改善することができる。一方、ＳＷ７とＳＷ８は高速なスイッチングの必要がないため、双方向サイリスタやリレー等のスイッチング素子を用いてもよい。なお、ＳＷ７とＳＷ８のオンオフを切り替える際には、加熱コイルに流れる負荷電流がゼロのタイミングで行うことにより、ＳＷ７およびＳＷ８において生じる損失を抑制できる。
【００４０】
また、スイッチング素子の放熱ＦＩＮを個別に設ける場合には、ＳＷ５とＳＷ６の放熱ＦＩＮの少なくとも一方をＳＷ７やＳＷ８の放熱ＦＩＮよりも風上に置くことにより、大電流により損失が大きく、熱破壊のおそれが大きいスイッチング素子の保護を図ることができる。
【００４１】
なお、上記実施の形態では、複数の加熱口に配置した複数の加熱コイルに適用した例を示したが、一加熱口の内側加熱コイルと外側加熱コイルに適用してもよく、複数の加熱コイルＬ３・Ｌ４を有する炊飯器（図１１）や、ＩＨグリルの上下ヒーターを誘導加熱する複数の加熱コイルＬ５・Ｌ６にも適用してもよい（図１２）。
【００４２】
また、上記実施の形態には、２個の加熱コイルを有する加熱調理器を示したが、３個以上の加熱コイルを有するものであっても、同様の加熱制御を行うことができる。
【符号の説明】
【００４３】
１  加熱調理器、１Ａ  本体ケース
２  加熱口、２L  左加熱口、２R  右加熱口
３  グリル調理器
１１  電源スイッチ
１２Ｌ  左火力調整ダイヤル、１２Ｒ  右火力調整ダイヤル
１３  前面操作部
１４  トッププレート
１６  中央表示パネル
１７Ｌ  左表示パネル、１７Ｒ  右表示パネル
１８Ｌ  左表示部、１８Ｒ  右表示部
１９  上面操作部
２７  左加熱口用操作部
２８  右加熱口用操作部
２９  グリル用操作部
３２  制御回路
３３  インバーター回路
３５  表示部駆動回路
Ｃ１  左共振コンデンサ、Ｃ２  右共振コンデンサ
Ｌ１  左加熱コイル、Ｌ２  右加熱コイル
Ｌ３  炊飯器用外加熱コイル、Ｌ４  炊飯器用内加熱コイル
Ｌ５  ＩＨグリル上ヒーター用加熱コイル、Ｌ６  ＩＨグリル下ヒーター用加熱コイル
ＳＷ１〜ＳＷ８  スイッチング素子
【図１】
2014194908.tif 000003
【図２】
2014194908.tif 000004
【図３】
2014194908.tif 000005
【図４】
2014194908.tif 000006
【図５】
2014194908.tif 000007
【図６】
2014194908.tif 000008
【図７】
2014194908.tif 000009
【図８】
2014194908.tif 000010
【図９】
2014194908.tif 000011
【図１０】
2014194908.tif 000012
【図１１】
2014194908.tif 000013
【図１２】
2014194908.tif 000014